(57)【要約】【課題】画像データとその画像データの撮影者との関連付けを容易にする。【解決手段】デジタルカメラ４は、シャッター操作が検出されると、最も受信強度の高い識別信号のセンサユニット２を特定し、該センサユニット２とペアリングしている携帯端末３を特定する。デジタルカメラ４は、特定した携帯端末３に対して所有者情報を要求する所有者情報要求信号を送信し、所有者情報要求信号に応答して、撮影者が所持する携帯端末３から所有者情報が送信されてくると、該所有者情報を、記録した画像データのＥＸＩＦ情報に撮影者情報として書き込む。その後、デジタルカメラ４は、ＥＸＩＦ情報に撮影者の所有者情報が書き込まれた画像データを格納するとともに、特定した携帯端末３にリサイズした画像データを送信する。【選択図】図１
2018160716.tif 000002
【特許請求の範囲】
【請求項１】
外部からの無線信号を受信する受信手段と、
画像データと、前記受信手段によって受信された無線信号から特定される撮影者情報とを対応付けるよう制御する制御手段と、
を備えることを特徴とする画像処理装置。
【請求項２】
撮像手段を更に備え、
前記制御手段は、前記撮像手段による撮像により記録された画像データと、前記受信手段によって受信された無線信号から特定される撮影者情報とを対応付けるよう制御することを特徴とする請求項１に記載の画像処理装置。
【請求項３】
前記受信手段が受信した前記無線信号の受信強度を取得する取得手段を更に備え、
前記制御手段は、前記取得手段によって取得された受信強度が所定以上の場合、前記受信された無線信号から特定される撮影者情報を、前記画像データと対応付けるよう制御することを特徴とする請求項１又は２に記載の画像処理装置。
【請求項４】
前記受信手段によって外部機器からの無線信号が受信されると、当該無線信号を送信した前記外部機器との通信を維持するよう制御する通信制御手段を更に備え、
前記制御手段は、前記通信制御手段によって通信が維持されている前記外部機器から送信された無線信号から特定される撮影者情報を、前記画像データと対応付けるよう制御することを特徴とする請求項１乃至３のいずれか一項に記載の画像処理装置。
【請求項５】
前記受信手段は、複数の無線信号を受信し、
前記画像データから顔画像データが検出されたか否かを判断する判断手段を更に備え、
前記制御手段は、前記判断手段によって顔画像データが検出され、かつ前記受信手段によって複数の無線信号が受信された場合に、前記受信された複数の無線信号から特定される撮影者情報及び他の人物情報を受信して、前記画像データと対応付けるよう制御することを特徴とする請求項１乃至４のいずれか一項に記載の画像処理装置。
【請求項６】
外部からの無線信号を受信する受信ステップと、
画像データと、前記受信ステップで受信された無線信号から特定される撮影者情報とを対応付けるよう制御する制御ステップと、
を含むことを特徴とする画像処理方法。
【請求項７】
コンピュータを、
外部からの無線信号を受信する受信機能、
画像データと、前記受信機能によって受信された無線信号から特定される撮影者情報とを対応付けるよう制御する制御機能、
として機能させることを特徴とするプログラム。
【発明の詳細な説明】
【技術分野】
【０００１】
本発明は、画像処理装置、画像処理方法、及びプログラムに関する。
【背景技術】
【０００２】
従来より、そのカメラを操作して撮影する撮影者を、撮像された画像データと対応付けて記憶する機能を備えた撮像装置が知られている（例えば特許文献１参照）。
【先行技術文献】
【特許文献】
【０００３】
【特許文献１】特開２００５−２６０４４１号公報
【発明の概要】
【発明が解決しようとする課題】
【０００４】
しかしながら、従来技術では、予め登録されていない撮影者の情報は撮影された画像には記録されないため、例えば、一時的に第三者に撮影を依頼した場合、その撮像画像が誰によって撮影されたものなのかを知ることができないという問題があった。
【０００５】
そこで本発明は、画像データとその画像データの撮影者との関連付けを容易にすることを目的とする。
【課題を解決するための手段】
【０００６】
この発明に係る画像処理装置は、外部からの無線信号を受信する受信手段と、画像データと、前記受信手段によって受信された無線信号から特定される撮影者情報とを対応付けるよう制御する制御手段と、を備えることを特徴とする。
【発明の効果】
【０００７】
この発明によれば、画像データとその画像データの撮影者との関連付けを容易にすることができる。
【図面の簡単な説明】
【０００８】
【図１】本発明の第１実施形態による撮影システムの構成を示すブロック図である。
【図２】本第１実施形態によるデジタルカメラ４の構成を示すブロック図である。
【図３】本第１実施形態によるデジタルカメラ４の受信強度テーブル１９を説明するための概念図である。
【図４】本第１実施形態によるセンサユニット２の構成を示すブロック図である。
【図５】本第１実施形態による携帯端末の構成を示すブロック図である。
【図６】本第１実施形態のデジタルカメラ４の動作を説明するためのフローチャートである。
【図７】本第１実施形態の携帯端末３の動作を説明するためのフローチャートである。
【図８】本第１実施形態による撮影状況を示す概念図である。
【図９】本第２実施形態のデジタルカメラ４の動作を説明するためのフローチャートである。
【図１０】本第２実施形態のデジタルカメラ４の動作を説明するためのフローチャートである。
【発明を実施するための形態】
【０００９】
以下、本発明の実施の形態を、図面を参照して説明する。
【００１０】
Ａ．第１実施形態の構成
図１は、本発明の第１実施形態による撮影システムの構成を示すブロック図である。図において、ユーザ１−１、１−２、１−３（以下、総称する場合にはユーザ１という）は、各々、身体や着衣などに着脱可能な携帯型のセンサユニット２−１、２−２、２−３（以下、総称する場合にはセンサユニット２という）を装着している。また、ユーザ１は、各々、着衣のポケットや鞄などの中に、携帯電話やスマートフォンなどの携帯端末３−１、３−２、３−３（以下、総称する場合には携帯端末３という）を携帯している。
【００１１】
ユーザ１は、図示するように、複数人からなる１つのグループを構成している。但し、グループを構成するユーザ１は、固定される必要はなく、状況に応じて入れ替わることがあってもよい。そして、グループを構成する複数のユーザ１が少なくとも１つのデジタルカメラ４を共有している。
【００１２】
本第１実施形態では、デジタルカメラ４は、特定のユーザ１が所有するものであってもよいが、撮影時には、グループ内のいずれか一人のユーザ１が撮影者（デジタルカメラを把持してシャッターを押下するなどの撮影動作を行って撮影する人）となって他のユーザ１を撮影する状況を想定している。図示の例では、ユーザ１−１が撮影者となった他のユーザ１−２、１−３を撮影する状況を示している。
【００１３】
センサユニット２は、特定のユーザ１が装着しており、例えばユーザ１のバイオ情報（脈拍、血圧、活動量等）や地理情報（ＧＰＳ等による位置情報）などを逐次取得して記憶する活動量計などとして機能する。また、センサユニット２は、携帯端末３との間でそれぞれが利用可能な無線通信を用いて、ペアリング（無線接続認識）を構築しており、携帯端末３からの要求に応じて、記憶しているバイオ情報や地理情報などを携帯端末３に送信する。
【００１４】
携帯端末３は、スマートフォンなどからなり、通常、特定のユーザ１が所持しているが、センサユニット２が他のユーザ間で貸し借りしないのに対して、他のユーザ１が一時的に借用（所持）する場合もあり得る。携帯端末３には、当該端末を所持するユーザ１の所有者情報（氏名、メールアドレス、住所等）が記憶されている。
【００１５】
上述したように、携帯端末３は、当該端末の所有者が装着するセンサユニット２とペアリングを構築している。つまり、携帯端末３−１は、当該端末の所有者であるユーザ１−１が装着しているセンサユニット２−１とペアリングを構築し、携帯端末３−２は、当該端末の所有者であるユーザ１−２が装着しているセンサユニット２−２とペアリングを構築し、携帯端末３−３は、当該端末の所有者であるユーザ１−３が装着しているセンサユニット２−３とペアリングを構築している。
【００１６】
携帯端末３は、所定のアプリケーションによって適宜（自動又は手動）、ペアリングしているセンサユニット２に対してデータを要求し、センサユニット２からバイオ情報や地理情報などを受信して、所定の表示形態でディスプレイに表示するとともに保存する。
【００１７】
また、携帯端末３は、所定の無線通信によりデジタルカメラ４とペアリングを構築しており、所定のアプリケーションによって適宜（自動又は手動）、撮影した画像データをデジタルカメラ４から受信して、所定の表示形態でディスプレイに表示するとともに保存する。また、携帯端末３は、ペアリングを構築しているデジタルカメラ４からの要求に応じて、当該端末に記憶されているユーザ１の所有者情報をデジタルカメラ４に送信する。
【００１８】
また、携帯端末３は、所定の無線通信により基地局（不図示）を介してインターネット等のネットワーク５に接続し、ネットワーク５上のサーバー６との間で各種データを送受信する。
【００１９】
デジタルカメラ４は、グループを構成するユーザ１間で共用される。デジタルカメラ４は、センサユニット２と、該センサユニット２とペアリングしている携帯端末３と、該センサユニット２からの無線信号の受信強度とを関連付けた受信強度テーブル１９を保持している。デジタルカメラ４は、ペアリングを構築しているセンサユニット２との間における受信強度を所定の時間間隔で測定して上記受信強度テーブル１９における受信強度を更新する。なお、該受信強度テーブル１９の詳細については後述する。
【００２０】
また、撮影時には、グループ内のいずれか一人が撮影者となって、デジタルカメラ４を用いて、他のユーザ１を撮影する。デジタルカメラ４は、撮影直後、上記受信強度テーブルを参照し、ペアリングを構築しているセンサユニット２のうち、受信強度の最も高いセンサユニット２を特定し、該センサユニット２とペアリングしている携帯端末３、すなわち撮影者の携帯端末３を特定する。受信強度の最も高いセンサユニット２を特定するということは、デジタルカメラ４に最も近接しているセンサユニット２を特定していることに他ならない。すなわち、デジタルカメラ４に最も近接しているセンサユニット２を特定することで、当該デジタルカメラ４に最も近接しているユーザ１、すなわち撮影者を特定している。
【００２１】
また、デジタルカメラ４は、撮影者の携帯端末３から所有者情報を受信し、該所有者情報と撮影した画像データと関連付けて保存するとともに、リサイズした画像データを携帯端末３に送信する。このとき、画像データの送信先は、撮影者の携帯端末３のみであってもよいし、撮影者の携帯端末３に加えて、撮影した画像データを共有すべく他のユーザ１の携帯端末３に送信するようにしてもよい。
【００２２】
ネットワーク５は、インターネットや通信事業者の通信回線網である。サーバー６は、携帯端末３から送信される画像データを、ネットワーク５を介して受信してデータベース７に保存するとともに、携帯端末３からの要求に応じてデータベース７に保存した画像データを、ネットワーク５を介して携帯端末３に転送する。データベース７は、撮影画像データを保存する。
【００２３】
図２は、本第１実施形態によるデジタルカメラ４の構成を示すブロック図である。図において、本第１実施形態のデジタルカメラ４は、撮像部１０、画像処理部１１、画像記録部１２、無線通信部１３、操作検出部１４、ワークメモリ１５、プログラム記憶部１６、及び制御部１７を備えている。
【００２４】
撮像部１０は、ＣＣＤや、ＣＭＯＳなどの撮像素子からなり、光学レンズ群からなるレンズブロック１８から入った画像を撮像素子によりデジタル信号に変換して出力する。画像処理部１１は、撮影された画像データの画像処理（画素補間処理、γ補正、輝度色差信号の生成、ホワイトバランス処理、露出補正処理、重畳合成処理やフィルタ処理等）、画像データの圧縮・伸張（例えば、ＪＰＥＧ形式やＭ−ＪＰＥＧ形式又はＭＰＥＧ形式の圧縮・伸張）の処理、撮像画像のトリミングや撮像画像のデジタルズームなどの処理などを行う。
【００２５】
無線通信部１３は、例えば、Ｂｌｕｅｔｏｏｔｈ（登録商標）を用いて、外部機器（本発明ではセンサユニット２、及び携帯端末３）との間で静止画データ／動画データなどを送受信する。省電力なＢｌｕｅｔｏｏｔｈ（登録商標）Ｌｏｗ  Ｅｎｅｒｇｙ、又は、Ｂｌｕｅｔｏｏｔｈ（登録商標）＠Ｓｍａｒｔであればより好ましい。なお、Ｂｌｕｅｔｏｏｔｈ（登録商標）による無線通信部１３以外にも、無線ＬＡＮ（Ｌｏｃａｌ  Ａｒｅａ  Ｎｅｔｗｏｒｋ）や、ＮＦＣ（Ｎｅａｒ  Ｆｉｅｌｄ  Ｃｏｍｍｕｎｉｃａｔｉｏｎ：近接無線通信）、携帯端末３の移動体通信網を用いる通信手段を備えていてもよい。
【００２６】
操作検出部１４は、シャッタキー、ズームキー、モードキー、ムービー記録開始／終了キー、電源オンオフキー等の複数のメカニカル操作キーや、画面上へのタッチ操作を検出し、ユーザ１のキー操作に応じた操作信号を出力する。ワークメモリ１５は、撮像部１０によって撮像された静止画データ／動画データを一時記憶するバッファメモリとして使用されるとともに、後述する制御部１７がプログラムを実行した際のワーキングメモリとして使用される。プログラム記憶部１６は、後述する制御部１７により実行されるプログラムや動作等に必要とされる各種パラメータなどを記憶している。
【００２７】
制御部１７は、上述したプログラム記憶部１６に記憶されているプログラムを実行することで各部の動作を制御する。特に、本第１実施形態では、制御部１７は、シャッター操作が検出されると、通信確立中のセンサユニット２のうち、受信強度の高いセンサユニット２を特定し、該センサユニット２とペアリングしている携帯端末３を特定する。また、制御部１７は、特定した携帯端末３に対して所有者情報の送信を要求し、該要求に応じて携帯端末３から送信されてくる所有者情報を、撮影者情報として撮影した画像データのＥＸＩＦ情報に書き込み、記録した画像データを保存するとともに、リサイズした画像データを携帯端末３に送信する。
【００２８】
図３は、本第１実施形態によるデジタルカメラ４の受信強度テーブル１９を説明するための概念図である。図において、デジタルカメラ４は、上述したように、センサユニット２を識別するための識別信号２０と、該センサユニット２とペアリングしている携帯端末３を識別するための識別情報２１と、該センサユニット２からの無線信号の受信強度２２とを関連付けた受信強度テーブル１９を保持している。
【００２９】
図示の例では、識別信号２０が「Ａ」のセンサユニット２と識別情報２１が「Ｘ」の携帯端末３とがペアリングしており、デジタルカメラ４における、識別信号２０が「Ａ」のセンサユニット２からの無線信号の受信強度２２が「Ｒ１」であることを示している。同様に、識別信号２０が「Ｂ」のセンサユニット２と識別情報２１が「Ｙ」の携帯端末３とがペアリングしており、デジタルカメラ４における、識別信号２０が「Ｂ」のセンサユニット２からの無線信号の受信強度２２が「Ｒ２」であることを示している。そして、識別信号２０が「Ｃ」のセンサユニット２と識別情報２１が「Ｚ」の携帯端末３とがペアリングしており、デジタルカメラ４における、識別信号２０が「Ｃ」のセンサユニット２からの無線信号の受信強度２２が「Ｒ３」であることを示している。
【００３０】
センサユニット２の識別信号２０と携帯端末３の識別情報２１とは、センサユニット２と携帯端末３とがペアリングした際に対応付けられ、所定のタイミングで、デジタルカメラ４がペアリングした携帯端末３から受信して受信強度テーブル１９に記録する。また、デジタルカメラ４とペアリングしているセンサユニット２との間における無線信号の受信強度２２は、デジタルカメラ４がセンサユニット２からの無線信号を所定の時間間隔で測定して受信強度テーブル１９の値を逐次更新する。すなわち、無線信号の受信強度２２は、常に最新の値を示すようになっている。
【００３１】
図４は、本第１実施形態によるセンサユニット２の構成を示すブロック図である。図において、センサユニット２は、各種センサ３０、接続情報記憶部３１、センサ情報記憶部３２、無線通信部３３、操作検出部３４、ワークメモリ３５、プログラム記憶部３６、及び制御部３７を備えている。
【００３２】
各種センサ３０は、ＧＰＳセンサ、モーションセンサ、心拍センサなどからなり、所定の時間間隔で検出信号を出力する。接続情報記憶部３１は、ペアリングを構築している携帯端末３に関する接続情報を記憶している。センサ情報記憶部３２は、各種センサ３０により検出されたセンサ情報を記憶する。
【００３３】
無線通信部３３は、例えば、Ｂｌｕｅｔｏｏｔｈ（登録商標）などの無線技術を用いて、携帯端末３及びデジタルカメラ４との間で無線通信を確立し、データの送受信を行う。なお、省電力なＢｌｕｅｔｏｏｔｈ（登録商標）Ｌｏｗ  Ｅｎｅｒｇｙ、又は、Ｂｌｕｅｔｏｏｔｈ（登録商標）＠Ｓｍａｒｔであればより好ましい。また、Ｂｌｕｅｔｏｏｔｈ（登録商標）による無線通信以外にも、無線ＬＡＮ（Ｌｏｃａｌ  Ａｒｅａ  Ｎｅｔｗｏｒｋ）や、ＮＦＣ（Ｎｅａｒ  Ｆｉｅｌｄ  Ｃｏｍｍｕｎｉｃａｔｉｏｎ：近接無線通信）などであってもよい。
【００３４】
操作検出部３４は、電源オンオフキーや、表示切替キー等の複数のメカニカル操作キーによる操作を検出し、ユーザ１のキー操作に応じた操作信号を出力する。ワークメモリ３５は、後述する制御部３７がプログラムを実行した際のワーキングメモリとして使用される。プログラム記憶部３６は、後述する制御部３７により実行されるプログラムや動作等に必要とされる各種パラメータなどを記憶している。
【００３５】
制御部３７は、上述したプログラム記憶部３６に記憶されているプログラムを実行することで各部の動作を制御する。特に、本第１実施形態では、制御部３７は、デジタルカメラ４に対して所定の時間間隔で無線信号を送信するよう無線通信部３３を制御する。デジタルカメラ４が所定の時間間隔で送信する応答要求信号等に応じて応答信号を送信するように無線通信部３３を制御してもよい。
【００３６】
図５は、本第１実施形態による携帯端末３の構成を示すブロック図である。図において、携帯端末３は、表示部４０、タッチパネル４１、個人情報記憶部４２、各種データ記録部４３、無線通信部４４、操作検出部４５、ワークメモリ４６、プログラム記憶部４７、及び制御部7４８を備えている。
【００３７】
表示部４０は、液晶表示器や有機ＥＬ（Ｅｌｅｃｔｒｏ  Ｌｕｍｉｎｅｓｃｅｎｃｅ）表示器などからなり、特定の機能やアプリケーションなどに紐付けられているアイコンや、アプリケーション画面、各種のメニュー画面などを表示する。タッチパネル４１は、表示部４０上に重ねて配設され、指やスタイラス（ペン）などの直接接触、あるいは、近接を検出する。
【００３８】
個人情報記憶部４２は、当該携帯端末３の所有者に関する所有者情報を記憶している。各種データ記録部４３は、所有者に関する個人情報以外の画像データや、各種ファイルなどを記録している。
【００３９】
無線通信部４４は、例えば、Ｂｌｕｅｔｏｏｔｈ（登録商標）などの無線技術を用いて、センサユニット２及びデジタルカメラ４との間で無線通信を確立してデータの送受信を行うとともに、移動体通信網へ接続するための無線通信を確立して音声通信やデータの送受信を行う。なお、Ｂｌｕｅｔｏｏｔｈ（登録商標）に代えて、省電力なＢｌｕｅｔｏｏｔｈ（登録商標）Ｌｏｗ  Ｅｎｅｒｇｙ、又は、Ｂｌｕｅｔｏｏｔｈ（登録商標）＠Ｓｍａｒｔであればより好ましい。また、Ｂｌｕｅｔｏｏｔｈ（登録商標）による無線通信以外にも、無線ＬＡＮ（Ｌｏｃａｌ  Ａｒｅａ  Ｎｅｔｗｏｒｋ）や、ＮＦＣ（Ｎｅａｒ  Ｆｉｅｌｄ  Ｃｏｍｍｕｎｉｃａｔｉｏｎ：近接無線通信）などであってもよい。
【００４０】
操作検出部４５は、電源オンオフキーや、表示切替キー等の複数のメカニカル操作キーによる操作を検出し、ユーザ１のキー操作に応じた操作信号を出力する。ワークメモリ４６は、後述する制御部４８がプログラムを実行した際のワーキングメモリとして使用される。プログラム記憶部４７は、後述する制御部４８により実行されるプログラムや動作等に必要とされる各種パラメータなどを記憶している。
【００４１】
制御部４８は、ペアリングしているデジタルカメラ４から所有者情報要求信号を受信すると、個人情報記憶部４２に記憶している、当該携帯端末３の所有者に関する所有者情報をデジタルカメラ４に送信する。
【００４２】
Ａ−２．第１実施形態の動作
次に、上述した実施形態の動作について説明する。
図６は、本第１実施形態のデジタルカメラ４の動作を説明するためのフローチャートである。デジタルカメラ４において、制御部１７は、操作検出部１４によってシャッター操作が検出されたか否かを判断する（ステップＳ１０）。そして、シャッター操作が検出されない場合には（ステップＳ１０のＮＯ）、制御部１７は、当該処理を終了し、図示しないメインルーチンに戻る。
【００４３】
一方、シャッター操作が検出された場合には（ステップＳ１０のＹＥＳ）、制御部１７は、センサユニット２から識別信号を受信しているか否かを判断する（ステップＳ１２）。そして、センサユニット２から識別信号を受信していない場合には（ステップＳ１２のＮＯ）、図１に示すような状況でないので、制御部１７は、撮像部１０により撮像して記録した画像データを画像記録部１２に格納する（ステップＳ１４）。その後、制御部１７は、当該処理を終了し、図示しないメインルーチンに戻る。
【００４４】
一方、センサユニット２から識別信号を受信している場合には（ステップＳ１２のＹＥＳ）、制御部１７は、受信している識別信号が複数であるか否かを判断する（ステップＳ１６）。そして、受信している識別信号が複数である場合には（ステップＳ１６のＹＥＳ）、受信強度テーブル１９を参照して最も受信強度の高い識別信号に対応するセンサユニット２を特定する（ステップＳ１８）。次に、制御部１７は、受信強度テーブル１９を参照して受信強度の高い識別信号で特定されたセンサユニット２とペアリングしている携帯端末３を特定する（ステップＳ２０）。
【００４５】
一方、受信している識別信号が複数でない場合には（ステップＳ１６のＮＯ）、その識別信号で特定されるセンサユニット２とペアリングしている携帯端末３を特定する（ステップＳ２２）。このようにして特定された携帯端末３は、デジタルカメラ４に最も近接しているユーザ１、もしくはデジタルカメラ４を使用している唯一のユーザ１、すなわちデジタルカメラ４のシャッター操作（撮影）を行ったユーザ１が所持する携帯端末３である。
【００４６】
制御部１７は、携帯端末３を特定した後、特定した携帯端末３に対して所有者情報を要求する所有者情報要求信号を送信する（ステップＳ２４）。つまり、撮影者が携帯する携帯端末３に保持されている所有者情報を要求する所有者情報要求信号を送信する。そして、所有者情報要求信号に応答して、撮影者が所持する携帯端末３から所有者情報が送信されてくると、制御部１７は、該所有者情報を、記録した画像データのＥＸＩＦ情報に撮影者情報として書き込む（ステップＳ２６）。
【００４７】
次に、制御部１７は、ＥＸＩＦ情報に撮影者の所有者情報が書き込まれた画像データを画像記録部１２に格納するとともに、特定した携帯端末３にリサイズした画像データを送信する（ステップＳ２８）。なお、このとき、画像データの送信先は、撮影者の携帯端末３のみであってもよいし、撮影者の携帯端末３に加えて、撮影した画像データを共有すべく他のユーザ１の携帯端末３に送信するようにしてもよい。
【００４８】
図７は、本第１実施形態の携帯端末３の動作を説明するためのフローチャートである。携帯端末３において、制御部４８は、無線通信部４４により、デジタルカメラ４から所有者情報要求信号を受信したか否かを判断する（ステップＳ４０）。そして、所有者情報要求信号を受信しない場合には（ステップＳ４０のＮＯ）、制御部４８は、当該処理を終了し、図示しないメインルーチンに戻る。
【００４９】
一方、所有者情報要求信号を受信した場合には（ステップＳ４０のＹＥＳ）、制御部４８は、個人情報記憶部４２に記憶されている所有者情報をデジタルカメラ４に対して送信する（ステップＳ４２）。その後、当該処理を終了し、図示しないメインルーチンに戻る。
【００５０】
図８は、本第１実施形態による撮影状況を示す概念図である。図示する例では、デジタルカメラ４とセンサユニット２−１〜２−３とがペアリングを構築している。そして、ユーザ１−１〜１−３が装着しているセンサユニット２−１〜２−３は、ユーザ１−１〜１−３の各々が所有している携帯端末３−１〜３−３とそれぞれペアリングを構築している。
【００５１】
そして、ユーザ１−１がデジタルカメラ４を所持し、ユーザ１−２、１−３を撮影する状況を示している。この場合、デジタルカメラ４は、ユーザ１−１のセンサユニット２−１に最も近接することになるので、ユーザ１−１のセンサユニット２−１からの無線信号（識別信号）の受信強度が最大となる。概念的には、センサユニット２−１からの無線信号の受信強度が最大となるのは、デジタルカメラ４が図示の斜線領域Ｓにある状況に相当する。
【００５２】
デジタルカメラ４では、受信強度テーブル１９が参照され、最も受信強度の高いセンサユニット２として、センサユニット２−１が特定される。さらに、デジタルカメラ４では、受信強度テーブル１９が参照されて、受信強度の高いセンサユニット２−１とペアリングしている携帯端末３−１が特定されることになる。
【００５３】
デジタルカメラ４では、上記特定した携帯端末３−１に対して、所有者情報を要求する所有者情報要求信号が送信される。そして、所有者情報要求信号に応答して、携帯端末３−１から撮影者であるユーザ１−１に関する所有者情報が送信されてくると、デジタルカメラ４では、該所有者情報が画像データのＥＸＩＦ情報に撮影者情報として書き込まれた後、画像記録部１２に格納されるとともに、リサイズした画像データが特定した携帯端末３−１に送信される。
【００５４】
上述した第１実施形態によれば、画像データのＥＸＩＦ情報に撮影者を示す所有者情報が書き込まれているので、撮影後に、画像データを撮影者毎に分類したり、画像に撮影者情報を焼きこんだりすることができる。
【００５５】
Ｂ．第２実施形態
次に、本発明の第２実施形態について説明する。なお、撮影システム、センサユニット２、携帯端末３、デジタルカメラ４の構成は、上述した第１実施形態と同様であるので説明を省略する。
【００５６】
図９及び図１０は、本第２実施形態のデジタルカメラ４の動作を説明するためのフローチャートである。図９において、ステップＳ５０〜Ｓ６０は、上述した第１実施形態によるステップＳ１０〜Ｓ２０と同じであるので説明を省略する。
【００５７】
デジタルカメラ４において、制御部１７は、受信強度の高い識別信号で特定されたセンサユニット２とペアリングしていた携帯端末３を特定した後、撮像部１０により記録した画像内に顔画像が存在するか否かを判断する（ステップＳ６２）。そして、画像内に顔画像が存在する場合には（ステップＳ６２のＹＥＳ）、この特定されたセンサユニットとペアリングしている携帯端末３を除いた他の携帯端末３を全て特定する（ステップＳ６４）。
【００５８】
例えば、図８に示すような状況の場合には、受信強度の高いセンサユニット２とペアリングしていた携帯端末３として、携帯端末３−１が特定され、該携帯端末３−１を除いた他の携帯端末３として、携帯端末３−２、３−３が特定されることになる。
【００５９】
次に、制御部１７は、全ての携帯端末３に対して所有者情報を要求する所有者情報要求信号を送信する（ステップＳ６６）。つまり、全てのユーザ１−１〜１−３が携帯する携帯端末３−１〜３−３に保持されている所有者情報を要求する所有者情報要求信号を送信する。
【００６０】
そして、所有者情報要求信号に応答して、全てのユーザ１が所持する携帯端末３から所有者情報が送信されてくると、制御部１７は、一番受信強度の強い識別信号で特定されたセンサユニット２とペアリングしている携帯端末３の所有者情報を、記録した画像データのＥＸＩＦ領域に撮影者情報として書き込む（ステップＳ６８）。図８に示す例では、一番受信強度の強い識別信号で特定されたセンサユニット２−１とペアリングしている携帯端末３−１の所有者情報が、記録した画像データのＥＸＩＦ領域に撮影者情報として書き込まれる。
【００６１】
次に、制御部１７は、撮影されている可能性の高い人物の候補として、他の携帯端末３の所有者情報を、記録した画像データのＥＸＩＦ領域(編集・合成処理用)に書き込む（ステップＳ７０）。次に、制御部１７は、ＥＸＩＦ情報に撮影者の所有者情報、及び撮影された他のユーザ１の所有者情報が書き込まれた画像データを画像記録部１２に格納するとともに、特定した携帯端末３にリサイズした画像データを送信する（ステップＳ７２）。
【００６２】
なお、このとき、画像データの送信先は、撮影者の携帯端末３のみであってもよいが、撮影者の携帯端末３に加えて、撮影した画像データを共有すべく撮影された他のユーザ１の携帯端末３であってもよい。図８に示す例では、撮影者の携帯端末３−１だけでもよいし、撮影者であるユーザ１−１の携帯端末３−１に加えて、撮影した画像データを共有すべく撮影された他のユーザ１−２、１−３の携帯端末３−２、３−３に送信してもよい。
【００６３】
一方、受信している識別信号が複数でない場合には（ステップＳ５６のＮＯ）、受信強度に関係なく、この識別信号で特定されるセンサユニット２とペアリングしている携帯端末３を特定する（ステップＳ７４）。このようにして特定された携帯端末３は、デジタルカメラ４に最も近接しているユーザ１、もしくはデジタルカメラ４を使用している唯一のユーザ１、すなわちデジタルカメラ４のシャッター操作（撮影）を行ったユーザ１が所持する携帯端末３である。
【００６４】
制御部１７は、携帯端末３を特定した後、特定された携帯端末３に対して所有者情報を要求する所有者情報要求信号を送信する（ステップＳ７６）。つまり、撮影者が携帯する携帯端末３に保持されている所有者情報を要求する所有者情報要求信号を送信する。そして、所有者情報要求信号に応答して、撮影者が所持する携帯端末３から所有者情報が送信されてくると、制御部１７は、該所有者情報を、記録した画像データのＥＸＩＦ情報に撮影者情報として書き込む（ステップＳ７８）。
【００６５】
次に、制御部１７は、ＥＸＩＦ情報に撮影者の所有者情報が書き込まれた画像データを画像記録部１２に格納するとともに、特定した携帯端末３にリサイズした画像データを送信する（ステップＳ７２）。この場合も、画像データの送信先は、撮影者の携帯端末３のみであってもよいし、撮影者の携帯端末３に加えて、撮影した画像データを共有すべく他のユーザ１の携帯端末３であってもよい。
【００６６】
また、受信強度の高い識別信号を特定した後、ステップＳ６２にて、記録画像に顔画像が存在しないと判断された場合には、撮影者以外の他のユーザ１を撮影した記録画像ではないので、他のユーザ１の所有者情報を対応付ける必要がない。この場合、制御部１７は、特定された携帯端末３に対して所有者情報を要求する所有者情報要求信号を送信し（ステップＳ７６）、所有者情報要求信号に応答して、撮影者が所持する携帯端末３から送信されてくる所有者情報を、記録した画像データのＥＸＩＦ情報に撮影者情報として書き込む（ステップＳ７８）。
【００６７】
次に、制御部１７は、ＥＸＩＦ情報に撮影者の所有者情報が書き込まれた画像データを画像記録部１２に格納するとともに、特定した携帯端末３にリサイズした画像データを送信する（ステップＳ７２）。この場合も、画像データの送信先は、撮影者の携帯端末３のみであってもよいし、撮影者の携帯端末３に加えて、撮影した画像データを共有すべく他のユーザ１の携帯端末３であってもよい。
【００６８】
上述した第２実施形態によれば、画像データのＥＸＩＦ情報に撮影者の所有者情報に加えて撮影されたユーザ１の所有者情報が書き込まれているので、撮影後に、画像データを撮影者や、撮影されたユーザ１毎に分類したり、画像に撮影者情報や、撮影されたユーザ１の所有者情報を焼き込んだり、当該画像データを容易に配布することができる。
【００６９】
上述した第１、第２実施形態によれば、画像データと、センサユニット２から受信した無線信号から特定される撮影者情報とを対応付けるようにしたので、画像データの撮影者を認識することができ、画像データの分類や、撮影者情報の画像への焼き込みなどの画像編集作業の利便性を向上させることができる。
【００７０】
上述した第１、第２実施形態によれば、撮像部１０による撮像により記録された画像データと、センサユニット２から受信した無線信号から特定される撮影者情報とを対応付けるようにしたので、撮影後でも、画像データの撮影者を認識することができ、画像データの分類や、撮影者情報の画像への焼き込みなどの画像編集作業の利便性を向上させることができる。
【００７１】
上述した第１、第２実施形態によれば、受信した無線信号の受信強度が所定以上のセンサユニット２に対応するユーザ１の所有者情報を、撮影者情報として画像データと対応付けるようにしたので、デジタルカメラ４により撮影操作を行なった操作者を確実に特定することができる。
【００７２】
上述した第１、第２実施形態によれば、ペアリングが維持されているセンサユニット２から送信された無線信号から特定される撮影者情報を、画像データと対応付けるようにしたので、デジタルカメラ４とペアリングしたセンサユニット２を装着しているユーザ間で、確実に撮影者情報を画像データと対応付けることができる。
【００７３】
上述した第１、第２実施形態によれば、記録された画像データから顔画像データが検出されると、ペアリングされた複数のセンサユニット２の全てのユーザ１の携帯端末３から所有者情報を受信し、撮影者の所有者情報を撮影者情報として画像データと対応付けるとともに、他のユーザ１の所有者情報も撮影された側の情報として画像データに対応付けるようにしたので、撮影後に、画像データを撮影者や、撮影されたユーザ毎に分類したり、画像に撮影者情報や、撮影されたユーザ１の所有者情報を焼き込んだり、当該画像データを容易に配布することができる。
【００７４】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００７５】
（付記１）
付記１に記載の発明は、外部からの無線信号を受信する受信手段と、画像データと、前記受信手段によって受信された無線信号から特定される撮影者情報とを対応付けるよう制御する制御手段と、を備えることを特徴とする画像処理装置である。
【００７６】
（付記２）
付記２に記載の発明は、撮像手段を更に備え、前記制御手段は、前記撮像手段による撮像により記録された画像データと、前記受信手段によって受信された無線信号から特定される撮影者情報とを対応付けるよう制御することを特徴とする付記１に記載の画像処理装置である。
【００７７】
（付記３）
付記３に記載の発明は、前記受信手段が受信した前記無線信号の受信強度を取得する取得手段を更に備え、前記制御手段は、前記取得手段によって取得された受信強度が所定以上の場合、前記受信された無線信号から特定される撮影者情報を、前記画像データと対応付けるよう制御することを特徴とする付記１又は２に記載の画像処理装置である。
【００７８】
（付記４）
付記４に記載の発明は、前記受信手段によって外部機器からの無線信号が受信されると、当該無線信号を送信した前記外部機器との通信を維持するよう制御する通信制御手段を更に備え、前記制御手段は、前記通信制御手段によって通信が維持されている前記外部機器から送信された無線信号から特定される撮影者情報を、前記画像データと対応付けるよう制御することを特徴とする付記１乃至３のいずれか一つに記載の画像処理装置である。
【００７９】
（付記５）
付記５に記載の発明は、前記受信手段は、複数の無線信号を受信し、前記画像データから顔画像データが検出されたか否かを判断する判断手段を更に備え、前記制御手段は、前記判断手段によって顔画像データが検出され、かつ前記受信手段によって複数の無線信号が受信された場合に、前記受信された複数の無線信号から特定される撮影者情報及び他の人物情報を受信して、前記記録された画像データと対応付けるよう制御することを特徴とする付記１乃至４のいずれか一つに記載の画像処理装置である。
【００８０】
（付記６）
付記６に記載の発明は、外部からの無線信号を受信する受信ステップと、画像データと、前記受信ステップで受信された無線信号から特定される撮影者情報とを対応付けるよう制御する制御ステップと、を含むことを特徴とする画像処理方法である。
【００８１】
（付記７）
付記７に記載の発明は、コンピュータを、外部からの無線信号を受信する受信機能、画像データと、前記受信機能によって受信された無線信号から特定される撮影者情報とを対応付けるよう制御する制御機能、として機能させることを特徴とするプログラムである。
【符号の説明】
【００８２】
１、１−１〜１−３  ユーザ
２、２−１〜２−３  センサユニット
３、３−１〜３−３  携帯端末
４  デジタルカメラ
５  ネットワーク
６  サーバー
７  データベース
１０  撮像部
１１  画像処理部
１２  画像記録部
１３  無線通信部
１４  操作検出部
１５  ワークメモリ
１６  プログラム記憶部
１７  制御部
１８  レンズ群
１９  受信強度テーブル
２０  センサユニット識別信号
２１  携帯端末識別情報
２２  受信強度
３０  各種センサ
３１  接続情報記憶部（固有の識別情報）
３２  センサ情報記憶部
３３  無線通信部
３４  操作検出部
３５  ワークメモリ
３６  プログラム記憶部
３７  制御部
４０  表示部
４１  タッチパネル
４２  個人情報記憶部
４３  各種データ記憶部
４４  無線通信部
４５  操作検出部
４６  ワークメモリ
４７  プログラム記憶部
４８  制御部
【図１】
2018160716.tif 000003
【図２】
2018160716.tif 000004
【図３】
2018160716.tif 000005
【図４】
2018160716.tif 000006
【図５】
2018160716.tif 000007
【図６】
2018160716.tif 000008
【図７】
2018160716.tif 000009
【図８】
2018160716.tif 000010
【図９】
2018160716.tif 000011
【図１０】
2018160716.tif 000012